(57)【要約】【課題】  文字板の背後から照明されることで光輝する意匠の擬似点灯を防止しつつ、少ない光源で文字板の広範囲の意匠を明るく光輝させる表示装置を提供する。【解決手段】  導光文字板１０の少なくとも入光部１１１ａと第２光透過射出部１２２ｂとの間の所定箇所に貫通孔または凹状に形成された第１の挿入部１１２を設け、第１の遮光壁２３は第１の挿入部１１２に挿入され、この第１の遮光壁２３は、第１の光Ｌａを導光文字板方向１０へ反射する反射面２３ｐと、第１の光Ｌａを導光文字板１０方向へ反射しない非反射面と、を有する。【選択図】  図３
2014035324.tif 000002
【特許請求の範囲】
【請求項１】
第１の光源から射出された第１の光を入光部から入光して視認方向の略垂直方向に導光し、前記第１の光により意匠を表示する第１光透過射出部と、背面側に配設された第２の光源から射出された第２の光を透過し、この第２の光により意匠を表示する第２光透過射出部と、少なくとも前記入光部と前記第２光透過射出部との間の所定箇所に貫通孔または凹状に形成された第１の挿入部と、を有する導光文字板と、
前記第１の挿入部に挿入される第１の遮光壁と、を備え、
前記第１の遮光壁は、前記第１の光を前記導光文字板方向へ反射する反射面と、前記第１の光を前記導光文字板方向へ反射しない非反射面と、を有すること、を特徴とする表示装置。
【請求項２】
前記非反射面は、前記第１の光を前記導光文字板方向とは異なる方向へ反射させる傾斜面または暗色系に着色された部材により形成されてなること、を特徴とする請求項１に記載の表示装置。
【請求項３】
前記導光文字板の背面側に配設され、前記導光文字板を載置する載置部を有するケース体と、前記導光文字板の前記視認方向から前記反射面を覆う装飾部材と、をさらに備え、
前記反射面は、前記ケース体に前記載置部よりも視認者側に突設され、前記非反射面は、前記装飾部材に前記導光文字板方向へ垂設されてなること、を特徴とする請求項１または請求項２に記載の表示装置。
【発明の詳細な説明】
【技術分野】
【０００１】
本発明は、光源から射出された光を導光文字板にて導光して意匠表示部等を照光する、自動車などに搭載される表示装置に関するものである。
【背景技術】
【０００２】
特許文献１に開示された表示装置は、光源から射出された光を導光して、この導光した光を意匠の形に形成された光を透過する光透過射出部から射出する導光機能を有した文字板を有したものである。
【先行技術文献】
【特許文献】
【０００３】
【特許文献１】特開２０１１−２３７６９２号公報
【発明の概要】
【発明が解決しようとする課題】
【０００４】
しかしながら、特許文献１記載の表示装置は、図１０に示すように、導光文字板１０００内を進行する光Ｍにより光輝する第１光透過射出部１０００ａと、導光文字板１０００の背面側に配設される第２の光源１１００の光により光輝する第２光透過射出部１０００ｂと、を備え、第２の光源１１００が光輝していなくても、光Ｍにより、第２の光透過射出部１０００ｂが光輝して見えてしまう擬似点灯が発生し、視認者に間違った車両情報を認識させてしまうという虞があった。
【０００５】
そこで本発明は、前記問題点を解消し、文字板の背後から照明されることで光輝する意匠の擬似点灯を防止しつつ、少ない光源で文字板の広範囲の意匠を明るく光輝させることができる表示装置を提供することを目的とするものである。
【課題を解決するための手段】
【０００６】
本発明は、前述した課題を解決するため、第１の発明は、第１の光源から射出された第１の光を入光部から入光して視認方向の略垂直方向に導光し、前記第１の光により意匠を表示する第１光透過射出部と、背面側に配設された第２の光源から射出された第２の光を透過し、この第２の光により意匠を表示する第２光透過射出部と、少なくとも前記入光部と前記第２光透過射出部との間の所定箇所に貫通孔または凹状に形成された第１の挿入部と、を有する導光文字板と、前記第１の挿入部に挿入される第１の遮光壁と、を備え、前記第１の遮光壁は、前記第１の光を前記導光文字板方向へ反射する反射面と、前記第１の光を前記導光文字板方向へ反射しない非反射面と、を有するものである。
【０００７】
また、第２の発明は、前記非反射面は、前記第１の光を前記導光文字板方向とは異なる方向へ反射させる傾斜面または暗色系に着色された部材により形成されてなるものである。
【０００８】
また、第３の発明は、前記導光文字板の背面側に配設され、前記導光文字板を載置する載置部を有するケース体と、前記導光文字板の前記視認方向から前記反射面を覆う装飾部材と、をさらに備え、前記反射面は、前記ケース体に前記載置部よりも視認者側に突設され、前記非反射面は、前記装飾部材に前記導光文字板方向へ垂設されてなるものである。
【発明の効果】
【０００９】
文字板の背後から照明されることで光輝する意匠の擬似点灯を防止しつつ、少ない光源で文字板の広範囲の意匠を明るく光輝させることができる表示装置を提供する。
【図面の簡単な説明】
【００１０】
【図１】本発明の一実施形態における表示装置の分解斜視図である。
【図２】上記実施形態における表示装置の正面図である。
【図３】上記実施形態における導光文字板の説明図であり、（ａ）は導光文字板の正面図であり、（ｂ）は導光文字板の光透過射出部から光を射出させた際の表示装置の表示例を示す図であり、（ｃ）は表示装置の断面図（（ａ）のＡ−Ａ’断面図）であり、（ｄ）は表示装置の断面図（（ａ）のＢ−Ｂ’断面図）である。
【図４】上記実施形態における表示装置の各領域の説明図である。
【図５】上記実施形態におけるケース体の正面図である。
【図６】上記実施形態における表示装置の断面図であり、図２のＣ−Ｃ’断面図である。
【図７】上記実施形態における導光体の説明図であり、（ａ）は導光体の斜視図であり、（ｂ）は表示装置に組み込んだ際の導光体の断面図であり、（ｃ）は導光体の文字板方向反射部の形状を説明した図である。
【図８】本発明の表示装置の第１変形例を示した図である。
【図９】本発明の表示装置の第２変形例を示した図である。
【図１０】従来の表示装置の断面図である。
【発明を実施するための形態】
【００１１】
以下に、本発明の表示装置１の実施形態を、図１を用いて説明する。図１は、本実施形態における表示装置１の分解斜視図である。本発明の表示装置１は、導光文字板１０と、ケース体２０と、導光体３０と、指針４０と、回路基板５０と、光源６０と、本体７０と、装飾部材８０と、表示器９０と、から構成され、車両側から出力される車速やエンジン回転数等の車両情報を示す車両信号に基づき、指針４０が回動するものであり、光源６０の発する光により、導光文字板１０と指針４０が光輝するものである。
【００１２】
（導光文字板）
まず、本発明の表示装置１における導光文字板１０について、図２及び図３を用いて説明する。図２は、本実施形態における表示装置１の正面図であり、図３（ａ）は、導光文字板１０の正面図であり、図３（ｂ）は、導光文字板１０を光源６０により光輝させた場合の表示例を示した図であり、図３（ｃ）は、本実施形態における表示装置１の断面図であり、図３（ａ）のＡ−Ａ’断面図であり、図３（ｄ）は、本実施形態における表示装置１の断面図であり、図３（ａ）のＢ−Ｂ’断面図である。
【００１３】
導光文字板１０は、図３（ｃ）に示すように、透光性の導光部１１と、この導光部１１の表面に意匠を表示する意匠表示部１２と、光を拡散する光拡散部１３と、導光部１１の表面を覆う表面低屈折率部１４ａと、導光部１１の背面を覆う背面低屈折率部１４ｂと、を備える。また、導光文字板１０は、図３（ａ），（ｂ），（ｃ）に示すように、導光文字板１０内を進行する第１の光源６１が射出する第１の光Ｌａにより光輝する第１の光透過射出部１２２ａと、導光文字板１０の背面に配設される第２の光源６２が射出する第２の光Ｌｂに照明されて光輝する第２の光透過射出部１２２ｂと、導光文字板１０の背面に配設される第３の光源６３が射出する第３の光Ｌｃに照明されて光輝する第３の光透過射出部１２２ｃと、を備え、これらの光透過射出部から光を射出することにより、意匠（文字、絵、図形、記号等）を視認者に対して表示する。
【００１４】
また、導光文字板１０は、図３（ａ）に示すように、指針軸挿通孔１１１を中心とした円弧状の貫通孔で形成され、後述するケース体２０の第１の遮光壁２３を挿入する第１の挿入部１１２と、後述するケース体２０の第２の遮光壁２４を挿入する第２の挿入部１１３と、備える。
【００１５】
図４は、本発明における表示装置１を説明するにあたり用いる各領域を表した図であり、本明細書においては、第１の挿入部１１２及び第２の挿入部１１３により区画される領域を内側表示領域Ｅ１とし、この内側表示領域Ｅ１のうち第１の光透過射出部１２２ａを有する図４（ａ）に示すような領域を、第１内側表示領域Ｅ１ａとし、第３の光透過射出部１２２ｃを有する図４（ｂ）に示すような領域を、第２内側表示領域Ｅ１ｂとし、指針軸挿通孔１１１から、第１の挿入部１１２及び第２の挿入部１１３を隔てた第２の光透過射出部１２２ｂなどを有する図４（ｃ）に示すような領域を外側表示領域Ｅ２と、表現するものとする。第１の挿入部１１２は、指針軸挿通孔１１１を中心として全周を区画するのではなく、導光文字板１０の内側表示領域Ｅ１と外側表示領域Ｅ２とを連続した部材で構成できるように、図３（ａ）に示すように連結部１１２ａを設ける。
【００１６】
導光部１１は、透明又は半透明の透光性（半透光性を含む）を有する合成樹脂製の部材（例えばポリカーボネート板等）から形成される平板状の部材である。
導光部１１は、後述する指針軸７１を挿通し、指針４０の指針キャップ４３より径の小さい貫通孔である指針軸挿通孔１１１を有し、この指針軸挿通孔１１１の内壁である内壁入光部（入光部）１１１ａから第１の光源６１が射出する第１の光Ｌａを取り込み、この内壁入光部１１１ａを中心として放射状に第１の光Ｌａを伝達するものである。
【００１７】
意匠表示部１２は、導光部１１の表面または背面に、例えば、インク等を用いて、印刷、塗装等によって形成され、意匠（文字、絵、図形、記号等）を表示する表示層であり、非透光性（遮光性）の不透過部１２１と、光を透過して射出する透過部１２２と、により構成される。
不透過部１２１は、図３（ｂ）において、目盛り形状の第１の光透過射出部１２２ａ及びウォーニング意匠を表す第２の光透過射出部１２２ｂ及び内側表示領域Ｅ１に配設される第３の光透過射出部１２２ｃ以外の塗りつぶされた領域であり、遮光性のインク等を用いて、印刷、塗装等によって形成される。
【００１８】
透過部１２２は、不透過部１２１を切り抜いた意匠の部分であり、抜き絵印刷等によって形成される。透過部１２２は、上述したように、導光文字板１０内を進行する第１の光源６１が射出する第１の光Ｌａにより光輝する第１の光透過射出部１２２ａと、導光文字板１０の背面に配設される第２の光源６２が射出する第２の光Ｌｂに照明されて光輝する第２の光透過射出部１２２ｂと、導光文字板１０の内側表示領域Ｅ１内の背面に配設される第３の光源６３が射出する第３の光Ｌｃに照明されて光輝する第３の光透過射出部１２２ｃと、に分類され、これらの透過部１２２から光を射出することにより、意匠（文字、絵、図形、記号等）を視認者に対して表示する。
【００１９】
光拡散部１３は、光拡散性を有する材料を用いて、印刷、塗装等によって導光部１１の前面及び背面上に形成され、導光部１１が導光した第１の光Ｌａを拡散する。光拡散部１３は、図３（ｃ）のように第１の光透過射出部１２２ａに対応する位置に設けられる。
【００２０】
表面低屈折率部１４ａ及び背面低屈折率部１４ｂは、導光部１１を挟んで、導光部１１の両面全体に亘って、その両面（適宜、光拡散部１３を含む）を覆うように設けられる。表面低屈折率部１４ａ及び背面低屈折率部１４ｂは、透明又は半透明の透光性（半透光性を含む）を有し、導光部１１よりも光の屈折率が低い合成樹脂を用いて、印刷、塗装等によって形成される。
【００２１】
表面低屈折率部１４ａと導光部１１との界面、又は背面低屈折率部１４ｂと導光部１１との界面で、導光部１１によって導光された第１の光Ｌａは全反射する。全反射は、屈折率が大きい媒質（導光部１１）から小さい媒質（低屈折率部１４ａ，１４ｂ）に光が入射しようとするときに、入射しようとする光が界面を透過せず、その全て（略全てを適宜含む。）が反射する現象をいう。全反射は、光の入射角が、隣り合う媒質（ここでは導光部１１と、表面低屈折率部１４ａ及び背面低屈折率部１４ｂ）の各屈折率により決まる角度（臨界角）よりも大きい場合に起こる。導光部１１の側面から入射される光は、その殆どが、臨界角よりも大きい入射角で表面低屈折率部１４ａ又は背面低屈折率部１４ｂに到達するので、導光部１１と低屈折率部１４との界面に到達した光は、全反射する。
また、空気は、導光部１１よりも屈折率が低いので低屈折率部１４を設けなくても導光部１１と空気との界面で、導光部１１によって導光された光は全反射するが、導光部１１の表面にちりなどの屈折率が導光部１１よりも高い物質が付着した場合、導光部１１が導光する第２の光Ｌｂが全反射せずに外部へ抜けてしまうおそれがあるので、低屈折率部１４を設けることが望ましい。
【００２２】
第１の光透過射出部１２２ａは、光拡散部１３により拡散された第１の光Ｌａが射出する領域である。また、第１の光透過射出部１２２ａは、図３（ｃ），図３（ｄ）に示すように、第１の遮光壁２３の第１の反射面２３ｐまたは第２の遮光壁２４の第１の反射面２４ｐが反射した第１の光Ｌａの反射光Ｌｄも射出する。
【００２３】
第２の光透過射出部１２２ｂは、導光文字板１０の背面に位置する第２の光源６２から射出される第２の光Ｌｂを透過するものであり、第２の光源６２から射出された第２の光Ｌｂが拡散や反射等されずに直接射出されるので、高輝度で表示でき、ユーザの目を引くことができる。
【００２４】
第３の光透過射出部１２２ｃも第２の光透過射出部１２２ｂと同様に、導光文字板１０の背面に位置する第３の光源６３から射出される第３の光Ｌｃを透過するものであり、第３の光源６３から射出された第３の光Ｌｃが拡散や反射等されずに直接射出されるので、高輝度で表示でき、ユーザの目を引くことができる。
【００２５】
以上のように構成された導光文字板１０の光の入射から射出までを具体的に述べると、後述する導光体３０の文字板方向射出部３４から射出された第１の光Ｌａは、導光文字板１０の指針軸挿通孔１１１の内壁入光部（入光部）１１１ａに入射する。内壁入光部１１１ａに入射した第１の光Ｌａは、導光部１１と表面低屈折率部１４ａとの界面、又は導光部１１と背面低屈折率部１４ｂとの界面で全反射を繰り返し、導光部１１の内部を進む。導光部１１の内部を進む光の一部は、光拡散部１３に到達する。光拡散部１３に到達した第１の光Ｌａは、その光拡散部１３で拡散される。光拡散部１３によって拡散された第１の光Ｌａのうち、導光部１１の表面への入射角が臨界角よりも小さい光は、全反射せず、表面低屈折率部１４ａを介して意匠表示部１２の第１の光透過射出部１２２ａを透過する。これにより、意匠表示部１２は、図３（ｂ）に示すように、第１の光透過射出部１２２ａ（ここでは、速度計の目盛り部分）から光が射出される。これによって、不透過部１２１は暗く見え、第１の光透過射出部１２２ａは光って見える。また、第１の遮光壁２３の第１の反射面２３ｐまたは第２の遮光壁２４の第２の反射面２４ｐに到達した第１の光Ｌａは、第１の反射面２３ｐまたは第２の反射面２４ｐに反射光Ｌｄとして反射され、この反射光Ｌｄが光拡散部１３に到達した場合は、上記と同様に第１の光透過射出部１２２ａから反射光Ｌｄが射出される。
【００２６】
（ケース体）
つづいて、図５，図６を用いてケース体２０を説明する。図５はケース体の正面図である。図６は、本実施形態における表示装置１の断面図であり、図２のＣ−Ｃ’断面図である。
【００２７】
ケース体２０は、例えば白色の合成樹脂材料からなり、導光文字板１０と後述する回路基板５０との間に配設され、導光文字板１０を支持固定するものである。
ケース体２０は、図５に示すように、第１の光源６１及び導光体３０を区画する貫通孔からなる第１の仕切り部２１と、導光文字板１０を載置する載置部２２と、第１の仕切り部２１を中心として円弧状に形成され、載置部２２より視認者側に突設した第１の遮光壁２３と、この第１の遮光壁２３同士の間の隙間である切り欠き部２３ａと、切り欠き部２３ａの隙間を阻むように配設された第２の遮光壁２４と、外側表示領域Ｅ２に配設される第２の光源６２を区画する貫通孔からなる第２の仕切り部２５と、内側表示領域Ｅ１に配設される第３の光源６３を区画する貫通孔からなる第３の仕切り部２６と、液晶パネルなどの表示器９０を挿入する表示器装着孔２７と、第１の仕切り部２１のうち、導光文字板１０の第１の光透過射出部１２２ａがない方向に形成され、載置部２２より視認者側に突設した第３の遮光壁２８と、を有するものである。
【００２８】
第１の仕切り部２１は、図６に示すように、貫通孔で形成され、第１の光源６１及び導光体３０を区画するものであり、第１の光源６１から発せられる光Ｌ及び導光体３０から漏れた光Ｌを反射するものである。
【００２９】
載置部２２は、導光文字板１０及び回路基板５０と略平行になるように形成され、導光文字板１０の背面と接触した状態で導光文字板１０を保持するものである。また、載置部２２は、導光文字板１０背面側から漏れる第１の光Ｌａを反射し、導光文字板１０内に第１の光Ｌａとして戻し、導光文字板１０内を進行する第１の光Ｌａが第１の光透過射出部１２２ａ以外から抜けてしまうのを防止することができる。
【００３０】
第１の遮光壁２３は、第１の仕切り部２１を中心として円弧状に形成され、載置部２２より視認者側に突設し、導光文字板１０の第１の挿入部１１２に挿入されるものである。
第１の遮光壁２３のうち、図４（ａ）に示す第１内側表示領域Ｅ１ａのような内壁入光部（入光部）１１１ａ側に第１の光透過射出部１２２ａを有する領域には、導光文字板１０内を進行する第１の光Ｌａを反射光Ｌｄとして反射する第１の反射面２３ｐを有する。第１の反射面２３ｐは、第１の光Ｌａを反射光Ｌｄとして導光文字板１０方向へ反射し、この反射光Ｌｄが第１の光透過射出部１２２ａから射出されることにより、第１の光透過射出部１２２ａをより明るく光輝させることができる。この第１の反射面２３ｐは、第１の光透過射出部１２２ａが形成される領域に対応して設けられるが、第１の光透過射出部１２２ａが形成される範囲よりも広い範囲に設けることが望ましく、斯かる構成により、第１の光透過射出部１２２ａの端にも他の領域と同様な反射光Ｌｄを射出させることができ、第１の光透過射出部１２２ａ全体として均一な輝度で表示させることができる。
また、第１の遮光壁２３のうち、図４（ｂ）に示す第２内側表示領域Ｅ１ｂのような内壁入光部（入光部）１１１ａ側に第３の光透過射出部１２２ｃを有する領域には、導光文字板１０内を進行する第１の光Ｌａを反射光Ｌｄとして反射させない第１の非反射面（図示しない）を有する。第１の非反射面は、第１の遮光壁２３を暗色系に着色することにより形成され、第１の光Ｌａを反射光Ｌｄとして導光文字板１０方向へ反射させないことにより、第３の光透過射出部１２２ｃから反射光Ｌｄが射出されるのを防止し、第３の光透過射出部１２２ｃが擬似点灯してしますのを抑制するものである。
また、第１の遮光壁２３のうち、図４（ｃ）に示す外側表示領域Ｅ２のような内壁入光部（入光部）１１１ａとは反対側の領域には、第１の反射面２３ｐまたは第１の反射面のどちらを設けてもよい。
【００３１】
また、第１の遮光壁２３は後述する切り欠き部２３ａを有する。
切り欠き部２３ａは、第１の遮光壁２３同士の間の隙間であり、この切り欠き部２３ａを設けることにより、導光文字板１０は、連結部１１２ａを設けることができ、内側表示領域Ｅ１と外側表示領域Ｅ２とを連結部１１２ａにより連結することができる。
切り欠き部２３ａは、導光文字板１０の内壁入光部１１１ａから、第１の光透過射出部１２２ａのうち輝度を特に高くしたい第１の光透過射出部１２２ａに連なる光路の延長線上を避けて配設される。斯かる構成により、切り欠き部２３ａによって反射光Ｌｄの光度が、第１の遮光壁２３による反射光Ｌｄの光度よりも小さくなり、第１の光透過射出部１２２ａの輝度が部分的に低下してしまうのを抑制することができる。
【００３２】
第２の遮光壁２４は、導光文字板１０の切り欠き部２３ａの隙間を阻むように配設されたものであり、載置部２２より視認者側に突設し、導光文字板１０の第２の挿入部１１３に挿入されるものである。第２の遮光壁２４は、第１の遮光壁２３と同様に、第２の遮光壁２４のうち、図４（ａ）に示す第１内側表示領域Ｅ１ａのような内壁入光部（入光部）１１１ａ側に第１の光透過射出部１２２ａを有する領域には、導光文字板１０内を進行する第１の光Ｌａを反射光Ｌｄとして反射する第２の反射面２４ｐを有する。
また、第２の遮光壁２４のうち、図４（ｂ）に示す第２内側表示領域Ｅ１ｂのような内壁入光部（入光部）１１１ａ側に第３の光透過射出部１２２ｃを有する領域には、導光文字板１０内を進行する第１の光Ｌａを反射光Ｌｄとして反射させない第２の非反射面（図示しない）を有する。
また、第２の遮光壁２４は、第１の遮光壁２３による反射光Ｌｄによる第１の光透過射出部１２２ａを均一にするために、第１の遮光壁２３の外側表示領域Ｅ２側に配設することが望ましい。
【００３３】
第２の仕切り部２５は、導光文字板１０の外側表示領域Ｅ２に配設された第２の光透過射出部１２２ｂを照明する第２の光源６２を区画する貫通孔で形成されるものであり、第２の光源６２からの第２の光Ｌｂを導光文字板１０の方向へ反射するものである。
【００３４】
第３の仕切り部２６は、導光文字板１０の内側表示領域Ｅ１に配設された第３の光透過射出部１２２ｃを照明する第３の光源６３を区画する貫通孔で形成されるものであり、第３の光源６３からの第３の光Ｌｃを導光文字板１０の方向へ反射するものである。
【００３５】
表示器装着孔２７は、液晶パネルなどの表示器９０を挿入する貫通孔で形成されるものである。
【００３６】
第３の遮光壁２８は、第１の仕切り部２１のうち、導光文字板１０の第１の光透過射出部１２２ａが配設されない領域（第２内側表示領域Ｅ１ｂ）に載置部２２より視認者側に突設されるものであり、導光体３０の文字板方向射出部３４から導光文字板１０の内壁入光部１１１ａへ射出する第１の光Ｌａを遮断するものである。第３の遮光壁２８は、第１の光Ｌａを導光体３０側へ反射するように反射部材で形成されることが望ましい。
第３の遮光壁２８は、表示装置１の組み付けにより同様の位置に配設されるものであれば、ケース体２０とは異なる部材である、例えば、指針４０照明した際に発生するハレーションを防止するカラー部材（図示しない）により形成されてもよい。
【００３７】
（導光体）
つづいて、図７を用いて、導光体３０を説明する。
図７（ａ）は、本実施形態における導光体３０の斜視図であり、図７（ｂ）は、本実施形態における表示装置１の断面図である。
導光体３０は、後述する第１の光源６１を収納する収納部３１と、第１の光源６１の光Ｌを、導光文字板１０の内壁入光部１１１ａの方向へ反射する文字板方向反射部３２、指針４０の方向へ第４の光Ｌｅを射出する指針方向射出部３３と、導光文字板１０の内壁入光部１１１ａに第１の光Ｌａを射出する文字板方向射出部３４と、後述する指針軸７１が挿通する指針軸挿通部３５と、を備えるものであり、第１の光源６１の光Ｌを、導光文字板１０と、指針４０とに導くものである。また、本明細書及び図面において、第１の光源６１から射出される光を光Ｌ、この光Ｌのうち、導光体３０によって導光文字板１０の方向へ導光される光を第１の光Ｌａ、同じく導光体３０によって指針４０の方向へ導光される光を第４の光Ｌｅと表現している。
【００３８】
収納部３１は、第１の光源６１を覆う（所望の位置に収納する）ものであり、第１の光源６１から発せられる光Ｌを逃すことなく、より多くの光を導光体３０内に取り込む。
【００３９】
文字板方向反射部３２は、図７（ｂ）に示すように、導光体３０の中心Ｏを中心とする曲面状で形成され、収納部３１から入射した光Ｌを、第１の光Ｌａとして文字板方向射出部３４の方向へ反射する。本実施例においては、文字板方向反射部３２は、導光体３０の中心Ｏを中心とし、略全方向に設けられているが、光を反射させたい領域によって、適宜、文字板方向反射部３２を設ける領域を限定してもよい。
また、文字板方向反射部３２は、図７（ｃ）に示すように、円錐状や角錐面状（六角錐面，八角錐面等）に形成してもよい。
【００４０】
指針方向射出部３３は、文字板方向反射部３２のうち、導光体３０内を導光する光Ｌの文字板方向反射部３２に入射した際の角度が、臨界角以下であり、指針４０方向へ第４の光Ｌｅが射出される箇所である。指針方向射出部３３から指針４０方向へ射出される第４の光Ｌｅの量は、文字板方向反射部３２の形状により、適宜調節される。
【００４１】
文字板方向射出部３４は、導光文字板１０の指針軸挿通孔１１１の内壁に設けられた内壁入光部１１１ａの面に対し、略平行に配設され、文字板方向反射部３２の反射した第１の光Ｌａを内壁入光部１１１ａに向け、射出する箇所である。導光体３０の高さ方向である文字板方向射出部３４の厚さは、内壁入光部１１１ａの厚さと略同一となるように形成される。斯かる構成により、導光体から導光文字板への光の伝達の際の光漏れを抑制し、効率よく意匠を照明することができる。
【００４２】
指針軸挿通部３５は、後述する指針軸７１が挿通する部分であり、導光体１０の中心Ｏに貫通孔として設けられる。斯かる構成により、文字板方向射出部３４を略全方向へ設けることができ、光源からの光を、指針軸挿通孔３５を中心に導光文字板１０の略全方向に対し射出することができ、より広範囲の意匠を効率よく照明することができる。
また、指針軸挿通部３５は、導光体１０の中心Ｏを中心とするものではなく、導光体１０の中心Ｏからオフセットした位置に設けられてもいい。
【００４３】
指針４０は、図６に示すように、指示部４１と、指針基部４２と、指針キャップ４３とから構成されている。指示部４１は、導光文字板１０の指標を指示し、第１の光源６１からの第４の光Ｌｅを受けて光輝する。指針基部４２は、駆動本体７０に設けられた指針軸７１に固定される。この指針基部４２は指示部２１と透明な樹脂で一体に形成されている。指針キャップ４３は、遮光性の合成樹脂からなり、指針基部４２を覆うように具備されている。
【００４４】
回路基板５０は、光源６０や本体７０を実装し、表示装置の電気的な制御を行うものである。
【００４５】
光源６０は、回路基板５０に実装され、回路基板５０に対して垂直方向に光を照射するトップビュー型からなる。光源６０は、導光体３０に光Ｌを射出する第１の光源６１と、外側表示領域Ｅ２に配設され、導光文字板１０の背面から第２の光透過射出部１２２ｂを照明する第２の光源６２、内側表示領域Ｅ１に配設され、導光文字板１０の背面から第３の光透過射出部１２２ｃを照明する第３の光源６３と、から構成される。
【００４６】
本体７０は、回路基板５０に実装され、指針４０が装着される指針軸７１を備えている。指針軸７１は、導光文字板１０の指針軸挿通孔１１１の略中心に位置して貫通するとともに、その先端部分が導光文字板１０の表示面より上方に突出している。
【００４７】
装飾部材８０は、導光文字板１０の視認者側に配設され、図４（ｃ）、（ｄ）に示すように、導光文字板１０の第１の挿入部１１２及び第２の挿入部１１３を覆う遮光性のリング形状の部材であり、導光文字板１０内を進行する第１の光Ｌａが、第１の挿入部１１２及び第２の挿入部１１３から漏れ出てしまった際に、視認者にその漏れ出た光を視認させないようにするものであり、照明の商品性を高めることができる。
【００４８】
以上が、本実施形態における表示装置１の構成であり、このように、導光文字板１０の第１（第２）の挿入部１１２（１１３）に挿入される第１（第２）の遮光壁２３（２４）が、第１の光透過射出部１２２ａが形成される範囲に、第１の光Ｌａを導光文字板１０（第１の光透過射出部１２２ａ）方向へ反射する第１（第２）の反射面２３ｐ（２４ｐ）を有しているので、第１の光Ｌａが反射光Ｌｄとして反射され、第１の光透過射出部１２２ａから反射光Ｌｄが射出されることで、第１の光透過射出部１２２ａを明るく光輝させることができる。さらに、第１（第２）の遮光壁２３（２４）が、第３の光透過射出部１２２ｃが形成される範囲に、第１の光Ｌａを導光文字板１０（第３の光透過射出部１２２ｃ）方向へ反射させない第１（第２）の非反射面を有しているので、第１の光Ｌａが導光文字板１０方向へ反射されず、第３の光透過射出部１２２ｃが第１の光Ｌａの反射光Ｌｄにより擬似点灯することを抑制することができる。
【００４９】
また、第１の遮光壁２３を第１の仕切り部２１を中心に略円弧状に配設することにより、第１の遮光壁２３による反射光Ｌｄの光度が、第１の遮光壁２３のどの位置でも略均等になり、第１の遮光壁２３近傍の第１の光透過射出部１２２ａをより均一な輝度で光輝させることができる。
【００５０】
また、第１の遮光壁２３同士の隙間である切り欠き部２３ａを設けることにより、導光文字板１０に連結部１１２ａを設けることができ、第１の遮光壁２３の内側表示領域Ｅ１と外側表示領域Ｅ２とを連結部１１２ａにより連結することができ、部品点数を削減し、組立て工数を削減することができる。
【００５１】
以下、本実施形態の表示装置１の変形例について、図８乃至１０を参照して説明する。
なお、上記の技術的事項や下記の変形例における技術的事項は、適宜組み合わされても良い。
【００５２】
（第１変形例）
上記実施形態では、第１（第２）の非反射面を、ケース体２０の第１（第２）の遮光壁２３（２４）に暗色系の着色をすることで設けていたが、図８（ａ），（ｂ）のように、装飾部材８０から導光文字板１０側へ装飾部材非反射壁８１として垂設してもよい。斯かる構成により、ケース体２０を着色する必要がなく、装飾部材８０の遮光性の部材から遮光部材非反射壁８１を一体に形成することができ、組立て工数や部材費を削減することが出来る。
また、図８（ｂ）のように、１つの挿入部１１２（１１３）に、ケース体２０による第１（第２）の遮光壁２３（２４）と、装飾部材８０の装飾部材非反射壁８１と、を挿入することで一方は第１の光Ｌａを反射させ、もう一方は反射させない構成とすることができる。
また、上記実施形態の第１（第２）の非反射面は、第１の光Ｌａを導光文字板１０方向へ反射させなければよいので、図８（ｃ）に示すように第１（第２）の遮光壁２３（２４）に傾斜部（２３Ｚ）を設け、装飾部材８０方向へ反射させることで第１の光Ｌａを導光文字板１０方向へ反射させないようにしてもよい。
【００５３】
（第２変形例）
上記実施形態では、導光文字板１０に設けられ、ケース体２０の第１，第２の遮光壁２３，２４を挿入する第１，第２の挿入部１１２，１１３は、貫通孔であったが、導光文字板１０内を進行する第１の光Ｌａを、第２の光透過射出部１２２ｂが擬似点灯しない程度に遮断できればよいので、図９（ａ），（ｂ）に示す第１の挿入部（第２変形）１１２ｘのような貫通孔でなくてもよい。斯かる構成により、導光文字板１０に貫通孔を設ける必要がなく、遮光壁が導光文字板１０の視認者側から視認されることがなく、美観を損なわない表示装置とすることができる。
【００５４】
（第３変形例）
上記実施形態においては、導光文字板１０の表面及び裏面の略全面に、表面低屈折率部１４ａ，裏面低屈折率部１４ｂを設けていたが、第三変形例における表示装置１は、図４に示す第１内側表示領域Ｅ１ａ以外の第２内側表示領域Ｅ１ｂ及び外側表示領域Ｅ２に、表面低屈折率部１４ａ，裏面低屈折率部１４ｂを設けない。斯かる構成により、第２内側表示領域Ｅ１ｂの導光文字板１０内を進行する第１の光Ｌａは、導光部１１と意匠表示部１２との間で全反射されずに減衰していくため、第１の光Ｌａが第３の光透過射出部１２２ｃまで導光されず、第３の光透過射出部１２２ｃが第１の光Ｌａにより擬似点灯してしまうのを防止することができる。
【符号の説明】
【００５５】
１      表示装置
１０      導光文字板
１１      導光部
１２      意匠表示部
１３      光拡散部
１４ａ    表面低屈折率部
１４ｂ    背面低屈折率部
２０      ケース体
２１      第１の仕切り部
２２      載置部
２３      第１の遮光壁
２３ａ    切り欠き部
２４      第２の遮光壁
２５      第２の仕切り部
２６      第３の仕切り部
２７      表示器装着孔
２８      第３の遮光壁
３０      導光体
３１      収納部
３２      文字板方向反射部
３３      指針方向射出部
３４      文字板方向射出部
３５      指針軸挿通部
４０      指針
４１      指示部
４２      指針基部
４３      指針キャップ
５０      回路基板
６０      光源
６１      第１の光源
６２      第２の光源
６３      第３の光源
７０      本体
７１      指針軸
８０      表示器
１１１      指針軸挿通孔
１１１ａ    内壁入光部（入光部）
１１２      第１の挿入部
１１２ａ    連結部
１１３      第２の挿入部
１２１      不透過部
１２２      透過部
１２２ａ    第１の光透過射出部
１２２ｂ    第２の光透過射出部
１２２ｃ    第３の光透過射出部
【図１】
2014035324.tif 000003
【図２】
2014035324.tif 000004
【図３】
2014035324.tif 000005
【図４】
2014035324.tif 000006
【図５】
2014035324.tif 000007
【図６】
2014035324.tif 000008
【図７】
2014035324.tif 000009
【図８】
2014035324.tif 000010
【図９】
2014035324.tif 000011
【図１０】
2014035324.tif 000012